(57)【要約】      （修正有）【課題】ライターが横置きされている場合、点火装置が上になるよう向きを直す必要なく、また横幅を大きくすることなく、直ぐに使用できるライターを提供する。【解決手段】燃料槽１を備えた把持部２の一端２ａと他端２ｂに点火装置３を設ける。この場合、把持部２に燃料槽１を一つ形成し、一端２ａの点火装置３と他端２ｂの点火装置３の燃料槽１を共通状に形成するのが良い。また、燃料槽１内に差し込まれている燃料供給管５を把持部２が一本備え、把持部２の一端２ａの点火装置３と他端２ｂの点火装置３の燃料供給管５を共通に形成するのが良い。【選択図】図１
0003155550.tif 000002
【実用新案登録請求の範囲】
【請求項１】
燃料槽を備えた把持部の一端に点火装置が設けられているライターであって、上記の把持部の他端にも点火装置が設けられていることを特徴とするライター。
【請求項２】
請求項１記載のライターであって、把持部に燃料槽が一つ形成され、一端の点火装置と他端の点火装置の燃料槽が共通状に形成されていることを特徴とするライター。
【請求項３】
請求項１又は２記載のライターであって、燃料槽内に差し込まれて点火装置に燃料を供給するための燃料供給管を把持部が一本備え、把持部の一端の点火装置と他端の点火装置の燃料供給管が共通状に形成されていることを特徴とするライター。
【考案の詳細な説明】
【技術分野】
【０００１】
本考案は、ライターに関し、更に詳しくは一つのライターに二つの点火装置を設け、使い勝手が良くなるよう形成したライターに関するものである。
【背景技術】
【０００２】
従来、この種のライターとしては、例えば特許文献１に記載されているものがある。
この従来品は、燃料槽を備えた把持部の上部に、ガス噴出口開閉操作用のレバーを向かい合わせに設け、この対向状のレバーの間にガス噴出口を設け、把持部の左右何れかの側からでもレバーを押し下げて火をつけることができるよう形成しているものである。
【０００３】
従って従来品によると、レバーが設けられている側を上にして把持部を持てば、レバーを親指で押し下げ、同時にやすり車を回して直ぐに火をつけることができ、持ち直す必要がない。
【０００４】
しかしながら、従来品は、上記の通り、把持部の上部の左右位置に、レバーを対向状に配置しているため、把持部の幅が広くなるのを避けられなかった。
また従来品は、レバー等の点火装置を二つ備えているものの、点火装置が把持部の上端にだけ設けられていた。
従って従来品の場合は、例えば卓上等に横向きに置かれていると、点火装置の側が上になるよう、向きを直して持つ必要があったから、従来品によると、使い勝手が悪い、という問題点があった。
【先行技術文献】
【特許文献】
【０００５】
【特許文献１】実開昭５５−１３１４６１号公報
【考案の概要】
【考案が解決しようとする課題】
【０００６】
本考案は、従来品のこのような問題点に鑑み、提案されたものである。
従って本考案の解決しようとする課題は、ライターが横置きされている場合でも、点火装置が上になるようライターの向きを直す必要なく、また横幅を大きくすることなく直ぐに使用できるよう形成した使い勝手の良いライターを提供することにある。
【課題を解決するための手段】
【０００７】
本考案は、このような課題を達成するため、次ぎのような技術的手段を採る。
【０００８】
即ち、本考案は、燃料槽１を備えた把持部２の一端２ａに点火装置３が設けられているライターであって、上記の把持部２の他端２ｂにも点火装置３が設けられていることを特徴とする（請求項１）。
【０００９】
この場合、点火装置３は、同じ構造のものでも異なる構造のものでも良い。また把持部２の形状は、通常、例えば直方体や丸棒状に形成されるのが好ましいが、これらに限定されるものではなく任意である。
【００１０】
また本考案は、把持部２に燃料槽１が一つ形成され、一端２ａの点火装置３と他端２ｂの点火装置３の燃料槽１が共通状に形成されているのが好ましい（請求項２）。
【００１１】
なぜならこれによると、燃料槽１を個別に形成する場合に比べ、燃料槽１の製造（加工）コストを抑えることができ、また燃料槽１を個別に形成すると、何れか一方の燃料４切れの度に燃料４の充填の煩雑さがあるが、この種の問題を一掃できることからである。
【００１２】
また本考案は、図４に示されるように、燃料槽１内に差し込まれて点火装置３に燃料４を供給するための燃料供給管５を把持部２が一本備え、把持部２の一端２ａの点火装置３と他端２ｂの点火装置３の燃料供給管５が共通状に形成されているのでも良い（請求項３）。
【００１３】
なぜならこれによると、燃料供給管５を共通化できる分、部品コスト、製造（加工）コストを抑えることができるからである。
【考案の効果】
【００１４】
本考案は、このように燃料槽を備えた把持部の一端に点火装置が設けられているライターであって、点火装置が上記の把持部の他端にも設けられているものである。
従って本考案品によると、横幅を変更することなく、またライターの向きを直す必要なく、手に取って直ぐに火をつけることができ、使い勝手が良くなるものである。
【図面の簡単な説明】
【００１５】
【図１】本考案のライターの正面図である。
【図２】同上ライターの平面図である。
【図３】同上ライターの使用状態を示す正面図である。
【図４】同上ライターの他の実施形態を示す正面図である。
【図５】図４のライターの使用状態を示す正面図である。
【考案を実施するための形態】
【００１６】
以下、本考案の好適な一実施形態を、添付図面に従って説明する。
本考案は、図１等に示されるように、燃料槽１を備えた把持部２の一端２ａに、点火装置３が設けられているライターである。
【００１７】
この場合、本考案は、上記の把持部２の他端２ｂにも点火装置３が設けられている。点火装置３は、この実施形態では一端２ａと他端２ｂで同じ構造である。点火装置３は、具体的には、燃料４がガス化して噴出するノズル３ａと、このノズル３ａを例えば引き上げてノズル３ａの噴出口を開閉する操作レバー３ｂと、この操作レバー３ｂの押し下げ時に同時に回されて火花を発するやすり車３ｃとを備えて形成されている。５は、燃料槽１に差し込まれている燃料供給管であり、ノズル３ａは、この燃料供給管５に連通状に接続されている。なお４ａは、燃料４の液面を示す。
【００１８】
またこの実施形態の場合、燃料槽１は、把持部２に一つ形成されている。従って点火装置３の燃料槽１は、各点火装置３で共通状に形成されている。把持部２は、具体的には横断面長円形の筒状に形成され、この把持部２の両端に、点火装置３が把持部２の両端を密閉するよう取り付けられている。この実施形態の場合、把持部２の空洞部が燃料槽１に形成されている。
なお、６は燃料槽１内を連通状に区分けする仕切りである。
【００１９】
次に本考案品の使用例を説明する。
本考案品は、図３に示されるように、把持部２を持ち、何れか一方の点火装置３の操作レバー３ｂを押し下げてノズル３ａからガスを噴出させ、同時にやすり車３ｃを親指で回して着火する。
【００２０】
而して本考案品は、上記の通り、点火装置３が把持部２の両端に設けられている。従って本考案品は、例えば卓上に横置きされている場合でも、把持部２の向きを手直しすることなく、把持部２を持って操作レバー３ｂを押し下げ、同時にやすり車３ｃを回すことで、迅速且つ簡単に火をつけることができる。
【００２１】
またこの実施形態の本考案品は、点火装置３が、把持部２を正面から見たとき、操作レバー３ｂが把持部２の対角線上の位置に配置されている。従ってこの本考案品は、図３に示されるように、一端２ａを上にして把持部２を把持したとき、他端２ｂの点火装置３の操作レバー３ｂが掌の下部に当たることがない。それ故これによれば、他端２ｂの点火装置３の操作レバー３ｂや、やすり車３ｃを誤作動させることがない。
【００２２】
以上の処において、本考案は、図４に示されるように、燃料供給管５を把持部２が一本備え、把持部２の一端２ａの点火装置３と他端２ｂの点火装置３の燃料供給管５が共通状に形成されているのでも良い。
【００２３】
点火装置３は、この実施形態では同図に示されるように、一端２ａの点火装置３を上にしたとき、操作レバー３ｂが右側に配置されるよう、把持部２の長手方向（縦方向）と直交する線（燃料４の液面４ａに沿った線）を基準に、上下線対称状に形成されている。従って燃料供給管５は、上下の点火装置３のノズル３ａを接続するよう、直線状に形成されている。
【００２４】
而してこの本考案品は、燃料供給管５が一本で済むため、その分、図１の実施形態の本考案品に比べ、部品コスト、製造（加工）コストを抑えることができる。
【符号の説明】
【００２５】
１    燃料槽
２    把持部
２ａ  一端
２ｂ  他端
３    点火装置
３ａ  ノズル
３ｂ  操作レバー
３ｃ  やすり車
４    燃料
４ａ  液面
５    燃料供給管
６    仕切り
【図１】
0003155550.tif 000003
【図２】
0003155550.tif 000004
【図３】
0003155550.tif 000005
【図４】
0003155550.tif 000006
【図５】
0003155550.tif 000007